(57)【要約】【課題】本考案はルーツブロワのＶベルトの張り調整装置に関し、真空ポンプ等のモータの出力軸とブロワの入力軸とに装設したプーリ間に捲回されるＶベルトの張りの調整が簡単かつ確実に行え、構造が簡単で製作、組立を容易に行える。【解決手段】モータＭの出力軸１とブロワ２の入力軸３とに装設したプーリ４，５間に捲回されるＶベルト６の張りを調整するルーツブロワのＶベルトの張り調整装置において、固定ベース７と、該固定ベース上にＶベルトの張り方向Ｐに摺動可能に設けられ、モータＭが取付けられた摺動枠８，８を牽引手段Ｋの張り調整用ボルト９の螺合、締着により摺動枠を固定ベース上にてＶベルトの張り方向に牽引する。【選択図】　　　図１
0003098136.tif 000002
【実用新案登録請求の範囲】
【請求項１】
ブロワを回転駆動させるのにモータの出力軸と前記ブロワの入力軸とに装設したプーリ間に捲回されるＶベルトの張りを調整するルーツブロワのＶベルトの張り調整装置において、固定ベースと、該固定ベース上にＶベルトの張り方向に摺動可能に設けられ、前記モータが取付けられた摺動枠を牽引手段の張り調整用ボルトの螺合、締着により摺動枠を固定ベース上にてＶベルトの張り方向に牽引することを特徴としたルーツブロワのＶベルトの張り調整装置。
【請求項２】
前記牽引手段は、前記モータの前後、左右の脚部が取付けられて平行に配置された左右の前記摺動枠と、該摺動枠のうちＶベルトの張り方向側に配置される摺動枠の側板部のプーリ側と該側板部に対向して前記固定ベースに立設したボルト取付板とに挿入されて一端の係合部が前記側板部に係止されるとともにナットがねじ部に螺合、締着された前記張り調整用ボルトとから形成されることを特徴とする請求項１に記載のルーツブロワのＶベルトの張り調整装置。
【請求項３】
前記Ｖベルトの張り方向側の前記摺動枠のプーリの設置側とは反対側に設けた取付板に螺挿した押ボルトを前記牽引手段と協同して押込み操作することにより先端部にて前記側板部を押込み可能になしてＶベルトの張りを調整することを特徴とする請求項１または請求項２に記載のルーツブロワのＶベルトの張り調整装置。
【請求項４】
前記摺動枠のプーリの設置側と前記固定ベースとの対向面の何れか一方に案内片を設け、前記プーリの設置側と前記固定ベースとの対向面の何れか他方には前記案内片が摺動可能に挿入される案内用の長孔がＶベルトの張り方向に設けられたことを特徴とする請求項１，請求項２，請求項３に記載のルーツブロワのＶベルトの張り調整装置。
【考案の詳細な説明】
【０００１】
【考案の属する技術分野】
本考案はルーツブロワのＶベルトの張り調整装置に関し、例えば真空ポンプに適用するモータの出力軸とブロワの入力軸とに装設したプーリ間に捲回されるＶベルトの張りの調整が簡単かつ確実に行え、しかも構造が簡単にして製作および組立を容易に行うものである。
【０００２】
【従来の技術】
従来、例えば真空ポンプとして用いるルーツブロワには、例えば駆動源としてのモータの出力軸とブロワの入力軸とに装設したプーリ間にＶベルトを捲回すことにより、モータの回転をプーリ、Ｖベルト等の回転受動部品を介してブロワに伝達し、ブロワを回転させるようにしたものがあった。
【０００３】
また、このような構造の従来のルーツブロワにおいて、Ｖベルトの張り調整操作は、モータを固定ベースに取付けている固定ボルトを緩めてＶベルトを外し、その後、モータをＶベルトの張り方向に移動し、プーリの芯合わせを行ってから固定ボルトを締め直す等の各工程を経てＶベルトの張りの調整作業を行っていた。
【０００４】
【考案が解決しようとする課題】
しかしながら、上記従来のルーツブロワを運転した場合に、回転受動部品としてのＶベルトが伸長したり、プーリに対する摩耗によりＶベルトに緩みを生じてモータからの伝達ロスを生じたり、Ｖベルトにブレ動きが生じたり、騒音が大きくなったり、またベルトのスリップ等が発生していた。このため、保守・点検の観点から、一定期間毎にＶベルトの張りを調整する必要があった。
【０００５】
このようなＶベルトの張りを調整するには、従来、モータを固定ベースに取付けている固定ボルトを緩めてＶベルトを外す。その後、モータをＶベルトの張り方向に移動し、プーリの芯合わせを行ってから固定ボルトを締め直し、Ｖベルトの張り調整作業を行っていたので、多くの手間と時間がかかり、Ｖベルトの張り調整作業が非能率であった。
【０００６】
本考案は上記従来の不都合を解決し、Ｖベルトの張りの調整が簡単かつ確実に能率的に行え、しかも構造が簡単にして製作および組立を容易に行えるようにしたルーツブロワのＶベルトの張り調整装置を提供することを目的とする。
【０００７】
【課題を解決するための手段】
本考案は上記課題に鑑みなされたものであり、請求項１に記載の考案は、ブロワを回転駆動させるのにモータの出力軸と前記ブロワの入力軸とに装設したプーリ間に捲回されるＶベルトの張りを調整するルーツブロワのＶベルトの張り調整装置において、固定ベースと、該固定ベース上にＶベルトの張り方向に摺動可能に設けられ、前記モータが取付けられた摺動枠を牽引手段の張り調整用ボルトの螺合、締着により摺動枠を固定ベース上にてＶベルトの張り方向に牽引することを特徴としたという手段を採用した。
【０００８】
また、本考案の請求項２に記載の考案は、請求項１において、前記牽引手段は、前記モータの前後、左右の脚部が取付けられて平行に配置された左右の前記摺動枠と、該摺動枠のうちＶベルトの張り方向側に配置される摺動枠の側板部のプーリ側と該側板部に対向して前記固定ベースに立設したボルト取付板とに挿入されて一端の係合部が前記側板部に係止されるとともにナットがねじ部に螺合、締着された前記張り調整用ボルトとから形成されることを特徴とするという手段を採用した。
【０００９】
また、本考案の請求項３に記載の考案は、請求項１または請求項２において、前記Ｖベルトの張り方向側の前記摺動枠のプーリの設置側とは反対側に設けた取付板に螺挿した押ボルトを前記牽引手段と協同して押込み操作することにより先端部にて前記側板部を押込み可能になしてＶベルトの張りを調整することを特徴とするという手段を採用した。
【００１０】
また、本考案の請求項４に記載の考案は、請求項１，請求項２，請求項３において前記摺動枠のプーリの設置側と前記固定ベースとの対向面の何れか一方に案内片を設け、前記プーリの設置側と前記固定ベースとの対向面の何れか他方には前記案内片が摺動可能に挿入される案内用の長孔がＶベルトの張り方向に設けられたことを特徴とするという手段を採用した。
【００１１】
【考案の実施の形態】
以下、図面に従って本考案の実施の形態の具体例の詳細を説明する。
図１は本考案のルーツブロワのＶベルトの張り調整装置の一実施形態を示す正面図、図２は同じく側面図、図３は同じく本実施形態の牽引手段を構成する張り調整用ボルトの取付状態を示す説明的な断面図、図４は同じく押ボルトの取付状態を示す説明的な断面図、図５は同じく固定ベースに対する摺動枠の配置関係を示す説明的な平面図、図６は同じく張り調整用ボルトに対するナットの締付けを増大することによる固定ベースに対する摺動枠の終盤の配置関係を示す説明的な平面図である。
【００１２】
本実施形態では、ブロワ２を回転駆動させるのにモータＭの出力軸１と前記ブロワ２の入力軸３とに装設したプーリ４，５間に捲回されるＶベルト６の張りを調整するルーツブロワのＶベルトの張り調整装置で有る点は従来と同様である。
【００１３】
しかしながら本実施形態では、固定ベース７と、固定ベース７上にＶベルト６の張り方向Ｐに摺動可能に設けられる摺動枠８と、牽引手段Ｋを構成する張り調整用ボルト９と、押ボルト１０とを備えている。
【００１４】
前記牽引手段Ｋは、前記モータＭの前後、左右の脚部１１ａ，１１ｂ；１１ｃ，１１ｄが取付けられてＶベルト６の張り方向Ｐと交叉するように平行に配置された左右の摺動枠８と、該摺動枠８のうちＶベルト６の張り方向Ｐ側に配置される摺動枠８の側板部１２のプーリ４側と該側板部１２に対向して前記固定ベース７に立設したボルト取付板１３とに挿入されて一端の係合部１４が前記側板部１２に係止されるとともにナット１５，１５がねじ部９ａに螺合、締着された前記張り調整用ボルト９とから形成される。
また、摺動枠８の設置個数は、図示するように２本に限らず、取付けるべきモータＭの大きさ、重量に応じて増減変更は自由に行える。
しかも、前記係合部１４としては、図示する実施形態としてはボルト頭部９ｂが使用される（図１，図２，図３参照）。
【００１５】
１６は前記摺動枠８のプーリ４，５の設置側と前記固定ベース７との対向面の何れか一方、本実施形態では図１および図２に示すように摺動枠８，８の下面に設けた案内片であり、また、１７は前記プーリ４，５の設置側と前記固定ベース７との対向面の何れか他方、本実施形態では図１および図２に示すように固定ベース７に前記案内片１６，１６が摺動可能に挿入されるように設けられた案内用の長孔であり、この案内用の長孔１７はＶベルト６の張り方向Ｐに設けられている。
【００１６】
１８はＶベルト６の張りを調整するためにモータＭの前後、左右の脚部１１ａ，１１ｂ；１１ｃ，１１ｄが取付けられた平行な摺動枠８，８を固定ベース７上に取付けるための取付ボルトであり、この取付ボルト１８は固定ベース７の下面から例えば前記長孔１７を通じて前記摺動枠８，８に螺入されることにより固定ベース７上に摺動枠８，８を固定する。
【００１７】
また、牽引手段Ｋとしての前記押ボルト１０は、前記Ｖベルト６の張り方向Ｐ側の前記摺動枠８のプーリ４の設置側とは反対側に設けた取付板１９に螺挿され、先端部１０ａにて前記側板部１２を押込み可能になる。２０は前記押ボルト１０のねじ部１０ｂに螺合される止ナットである。
【００１８】
本考案の一実施形態は以上の構成からなり、ルーツブロワを運転することにより回転受動部品としてのＶベルト６が伸長したり、または出力側と入力側のプーリ４，５に対する摩耗によりＶベルト６に緩みを生じてモータＭの駆動による伝達ロスを生じたり、またはＶベルト６にブレ動きが生じたり、さらには騒音が大きく発生するようになって保守・点検の観点から一定期間毎にＶベルト６の張りを調整操作するには、先ず、固定ベース７の下面から長孔１７を通じて摺動枠８，８に螺入されている取付ボルト１８を緩めることにより固定ベース７上における摺動枠８，８の固定を解き、移動を許容する。
【００１９】
次いで、固定ベース７上にＶベルト６の張り方向Ｐに摺動可能に設けられ、モータＭの前後、左右の脚部１１ａ，１１ｂ；１１ｃ，１１ｄが取付けられ、平行に配置されている左右の摺動枠８，８のうちＶベルト６の張り方向Ｐ側に配置された摺動枠８，８のプーリ４，５側の側板部１２と該側板部１２に対向して固定ベース７に立設したボルト取付板１３とに挿入されている牽引手段Ｋの張り調整用ボルト９のねじ部９ａに螺合しているナット１５，１５を螺入することにより締付を増大すると、張り調整用ボルト９の一端に設けた係合部としてのねじ頭部９ｂが側板部１２に係止されているので、摺動枠８，８は牽引手段Ｓとしての張り調整用ボルト９により直線的に引張られて固定ベース７上をＶベルト６の張り方向Ｐに摺動して引き寄せられる。このため、モータＭの出力軸１とブロワ２の入力軸３とに装着したプーリ４，５間に捲回わされているＶベルト６は張り方向Ｐに引っ張られて伸長される。
【００２０】
この際、モータＭの前後、左右の脚部１１ａ，１１ｂ；１１ｃ，１１ｄが取付けられている平行な摺動枠８，８のプーリ４，５の設置側と固定ベース７との対向面の何れか一方、本実施形態では図１および図２に示すように摺動枠８，８の下面に設けた案内片１６，１６が、前記プーリ４，５の設置側と前記固定ベース７との対向面の何れか他方、本実施形態では図１、図２、図３に示すように固定ベース７に設けられた案内用の長孔１７，１７内をＶベルト６の張り方向Ｐに摺動、案内されるので、摺動枠８，８は固定ベース７上をガタツキや揺動することなく迅速かつ円滑に摺動する。しかも、案内片１６，１６は案内用の長孔１７，１７内をＶベルト６の張り方向Ｐに摺動、案内されることによりモータＭの出力軸１とブロワ２の入力軸３とに装設したプーリ４，５の軸芯がずれ動くことなくプーリ４，５に捲回わされたＶベルト６を張り方向Ｐに平行に移動することができ、Ｖベルト６は捻れて余計な負荷が加わらない。
【００２１】
こうして、牽引手段Ｓとしての張り調整用ボルト９のねじ部９ａに螺合しているナット１５，１５の螺進度を増大して締付を増してプーリ４，５に捲回わされたＶベルト６に適度の張力を働かせて行くと、モータＭの後面側（プーリ４，５の設置側とは反対側）が図６に示すように平面的に斜めに傾いた状態になる。
【００２２】
その後、Ｖベルト６の張り方向Ｐ側の前記摺動枠８，８のプーリ４，５の設置側とは反対側に設けた取付板１９に螺挿した押ボルト１０を回動操作することにより、この押ボルト１０を螺進して先端部１０ａにて摺動枠８の側板部１２を押込むと、前述のように斜めに傾いた状態の摺動枠８，８上に設けたモータＭとブロワ２とのプーリ４，５の設置側とは反対側はＶベルト６の張り方向Ｐとは反対方向Ｐ′に押し込まれ、牽引手段Ｋの張り調整用ボルト９による張り方向Ｐへの摺動枠８，８の牽引と協同してＶベルト６の張りの調整を行う。
【００２３】
このように、Ｖベルト６に適度の張力を働かせるように、固定ベース７上に摺動枠８，８をＶベルト６の張り方向Ｐへと所定位置に摺動した後に、取付ボルト１８を摺動枠８，８の下方から締付けることにより固定ベース７上に摺動枠８，８を固定し、Ｖベルト６の張りの調整操作を終える。
こうして、牽引手段Ｋの張り調整用ボルト９にナット１５，１５を螺合して締付けを増すのと協同して押ボルト１０の締付けを行うという簡単な取扱い操作によりＶベルト６の張りを迅速かつ確実に調整することができる。
【００２４】
このため、ルーツブロワを運転することにより回転受動部品としてのＶベルト６が伸長した場合に、保守・点検の観点から一定期間毎にＶベルト６の張りを調整操作すれば、プーリ４，５に対する摩耗によりＶベルト６に緩みを生ずることなく、しかもモータＭの駆動による伝達ロスを生ぜずにブロワ２を回転することができる。また、Ｖベルト６にブレ動きが生ぜず、さらには大きな騒音、振動を発生させずに済み、保守・点検が容易に行える。
【００２５】
【考案の効果】
本考案の請求項１に記載の考案は以上のように、ブロワを回転駆動させるのにモータの出力軸と前記ブロワの入力軸とに装設したプーリ間に捲回されるＶベルトの張りを調整するルーツブロワのＶベルトの張り調整装置において、固定ベースと、該固定ベース上にＶベルトの張り方向に摺動可能に設けられ、前記モータが取付けられた摺動枠を牽引手段の張り調整用ボルトの螺合、締着により摺動枠を固定ベース上にてＶベルトの張り方向に牽引することを特徴とし、また、本考案の請求項２に記載の考案は、請求項１において、前記牽引手段は、前記モータの前後、左右の脚部が取付けられて平行に配置された左右の前記摺動枠と、該摺動枠のうちＶベルトの張り方向側に配置される摺動枠の側板部のプーリ側と該側板部に対向して前記固定ベースに立設したボルト取付板とに挿入されて一端の係合部が前記側板部に係止されるとともにナットがねじ部に螺合、締着された前記張り調整用ボルトとから形成されることを特徴とし、さらに本考案の請求項３に記載の考案は、請求項１または請求項２において、前記Ｖベルトの張り方向側の前記摺動枠のプーリの設置側とは反対側に設けた取付板に螺挿した押ボルトを前記牽引手段と協同して押込み操作することにより先端部にて前記側板部を押込み可能になしてＶベルトの張りを調整することを特徴とするので、Ｖベルトの張りの調整が簡単かつ確実に能率的に行え、しかも構造が簡単にして製作および組立を容易に行える。
【００２６】
また、本考案の請求項４に記載の考案は、請求項１，請求項２，請求項３において前記摺動枠のプーリの設置側と前記固定ベースとの対向面の何れか一方に案内片を設け、前記プーリの設置側と前記固定ベースとの対向面の何れか他方には前記案内片が摺動可能に挿入される案内用の長孔がＶベルトの張り方向に設けられたことを特徴とするので、摺動枠は固定ベース上をガタツキや揺動することなく迅速かつ円滑に摺動する。しかも、案内片は案内用の長孔内をＶベルトの張り方向に摺動、案内されることによりモータの出力軸とブロワの入力軸とに装設したプーリの軸芯がずれ動くことなくプーリに捲回わされたＶベルトを張り方向に平行に移動することができる。
【図面の簡単な説明】
【図１】図１は本考案のルーツブロワのＶベルトの張り調整装置の一実施形態を示す正面図である。
【図２】図２は同じく側面図である。
【図３】図３は同じく本実施形態の牽引手段としての張り調整用ボルトの取付状態を示す説明的な拡大断面図である。
【図４】図４は同じく押ボルトの取付状態を示す説明的な拡大断面図である。
【図５】図５は同じく固定ベースに対する摺動枠の配置関係を示す説明的な平面図である。
【図６】図６は同じく牽引手段としての張り調整用ボルトに対するナットの締付けを増大することによる固定ベースに対する摺動枠の終盤の配置関係を示す説明的な平面図である。
【符号の説明】
１　　　出力軸
２　　　ブロワ
３　　　入力軸
４　　　プーリ
５　　　プーリ
６　　　Ｖベルト
７　　　固定ベース
８　　　摺動枠
９　　　張り調整用ボルト
１０　　押ボルト
１１ａ　脚部
１１ｂ　脚部
１１ｃ　脚部
１１ｄ　脚部
１２　　側板部
１３　　ボルト取付板
１４　　係合部
１５　　ナット
１６　　案内片
１７　　長孔
１８　　取付ボルト
１９　　取付板
２０　　止ナット
Ｋ　　　牽引手段
Ｍ　　　モータ
Ｐ　　　張り方向
【図１】
0003098136.tif 000003
【図２】
0003098136.tif 000004
【図３】
0003098136.tif 000005
【図４】
0003098136.tif 000006
【図５】
0003098136.tif 000007
【図６】
0003098136.tif 000008